(57)【要約】【課題】隣接するタイル同士の間に目地ないし目地材が存在するかのような外観を与えることができる床材を提供する。【解決手段】基板の表面に化粧シート１１を貼着してなる床材であって、雄実１２，１３および雌実１４，１５の各表面には、表面１０ａから所定の深さで平行に形成される底面１７ａ，１８ａと、この底面の端部から表面にかけての傾斜面１７ｂ，１８ｂとからなる切欠１７，１８が形成され、基板表面には、溝底面１６ａとその両側に形成される傾斜面１６ｂ，１６ｂとを有する表面溝１６が形成される。表面溝は、雄実と雌実とを嵌合させたときにそれらの継目部分において切欠同士が共働して形成される継目溝２０と実質的に同一の逆台形状断面形状を有する。表面溝および継目溝は、それぞれ溝幅中央に延長する中央溝２２，２３を有しても良い。表面溝および継目溝には、目地材の色に相当する塗装を施しても良い。【選択図】図１
2016186180.tif 000002
【特許請求の範囲】
【請求項１】
基板の表面に化粧シートを貼着してなる床材であって、基板の四周木口面のうち隣り合う２つの木口面には雄実が形成されると共に、他の隣り合う２つの木口面に雄実と嵌合する雌実が形成され、雄実および雌実の上方の各基板表面には、これらを嵌合させたときの継目から基板表面と平行で基板表面から所定の深さに形成される底面と、この底面の継目側端部とは反対側の端部から基板表面にかけて形成される傾斜面とからなる切欠が形成され、また、基板の表面には、溝底面とその両側に形成される傾斜面とを有する表面溝が形成され、この表面溝は、雄実と雌実とを嵌合させたときにそれらの継目において切欠同士が共働して形成される継目溝と実質的に同一の断面形状を有することを特徴とする床材。
【請求項２】
雄実および雌実の各切欠の底面の継目側端部に傾斜面が形成されて、雄実と雌実とを嵌合させたときにそれらの継目に形成される継目溝の溝幅中央に中央溝が形成されると共に、基板の表面溝の溝幅中央にも継目溝に形成される中央溝と実質的に同一形状の中央溝が形成されることを特徴とする、請求項１記載の床材。
【発明の詳細な説明】
【技術分野】
【０００１】
本発明は床材に関し、より詳しくは、タイル貼りのような外観を呈する床材に関する。
【背景技術】
【０００２】
合板やＭＤＦなどの木質基材に木目模様などの柄模様が印刷された床材は、長尺に形成してその長さ方向に木目が現れるようにした、いわゆるフローリングとして施工されることが多いが、正方形や長方形に形成したタイルを施工したタイル貼りのような外観を与えることが好まれる場合もある。この場合、個々のタイルに相当する床材を製造して施工するのでは費用および施工手間がかかることから、下記特許文献１では、長尺の木質板に木目模様柄の化粧シートを積層した化粧板において、木質板の表面に幅方向に延長する横溝を形成して略正方形の区画を複数形成し、且つ、各区画ごとに化粧シートの木目模様が異なる方向に延長するように化粧シートを貼着することにより、タイル貼りに見せかけた床材とすることを提案している。
【先行技術文献】
【特許文献】
【０００３】
【特許文献１】特開２００５―１０５６０６号公報
【発明の概要】
【発明が解決しようとする課題】
【０００４】
本来、タイル貼りの床面は、セラミックスや石材などからなる正方形や長方形などの形状のタイルを用いて施工されるものである。上記従来技術では、横溝および床面同士の継目に現出する溝によって区画される区画ごとに化粧シートの木目模様を異なる方向に延長させることにより、各区画が異なる木質タイルであるような意匠性を疑似的に表現するものであるため、セラミックスや石材などからなるタイルを用いたタイル貼りのように見せかけることはできない。仮に、石目調の柄模様を有する化粧シートを貼着したものを用いたとしても、木目とは違って石目からは明りょうな方向性が観察されないので、上記従来技術のような作用効果を発揮することができない。
【０００５】
また、セラミックスや石材などからなるタイルを用いて行うタイル貼りの床面は、接着剤やセメントモルタルを塗布した床下地面に、隣接するタイル同士の間に隙間（目地）を残した状態で敷き詰めた後、この目地に樹脂などからなる目地材を充填して、目地から水分が入り込むことを防止すると共に、地震時などの際に硬質のタイル同士の衝突による割れを防止する緩衝材としての役割を発揮させるようにしている。このため、施工後の床面には、規則的に配置された石目調の表面を有するタイル同士の間に、目地ないし目地材の幅に相当する線模様が観察されることになる。しかしながら、上記従来技術では、このような表面意匠の床面を構成することができない。
【０００６】
よって、本発明が解決しようとする課題は、隣接するタイル同士の間に目地ないし目地材が存在するかのような外観を与えることができる床材を提供することである。
【課題を解決するための手段】
【０００７】
この課題を解決するため、本願の請求項１に係る発明は、基板の表面に化粧シートを貼着してなる床材であって、基板の四周木口面のうち隣り合う２つの木口面には雄実が形成されると共に、他の隣り合う２つの木口面に雄実と嵌合する雌実が形成され、雄実および雌実の上方の各基板表面には、これらを嵌合させたときの継目から基板表面と平行で基板表面から所定の深さに形成される底面と、この底面の継目側端部とは反対側の端部から基板表面にかけて形成される傾斜面とからなる切欠が形成され、また、基板の表面には、溝底面とその両側に形成される傾斜面とを有する表面溝が形成され、この表面溝は、雄実と雌実とを嵌合させたときにそれらの継目において切欠同士が共働して形成される継目溝と実質的に同一の断面形状を有することを特徴とする。
【０００８】
本願の請求項２に係る発明は、請求項１記載の床材において、雄実および雌実の各切欠の底面の継目側端部に傾斜面が形成されて、雄実と雌実とを嵌合させたときにそれらの継目に形成される継目溝の溝幅中央に中央溝が形成されると共に、基板の表面溝の溝幅中央にも継目溝に形成される中央溝と実質的に同一形状の中央溝が形成されることを特徴とする。
【発明の効果】
【０００９】
請求項１に係る本発明によれば、基板表面に形成される表面溝と、雄実と雌実とを嵌合させたときにそれらの切欠同士によって継目部分に形成される継目溝とが、実質的に同一の逆台形状断面形状を有するので、これらがいずれもタイル同士の間の目地のように観察される。したがって、この床材を雄実と雌実との嵌合を介して連接施工して得られる床に、タイル貼りであるかのような外観を与えることができる。
【００１０】
また、切欠同士の継目が継目溝の溝幅中央に位置するので、施工時に、雄実と雌実とがしっかりと嵌合されたことを確認しやすい。また、雄実と雌実とが隙間なくしっかりと嵌合された状態で、継目溝と表面溝の断面形状が略同一になるので、タイル貼りであるかのような外観を長期間にわたって維持することができる。
【００１１】
さらに、継目溝および表面溝はいずれも逆台形状の断面形状に形成されるので、ごみが溜まりにくい。また、これらの溝底面が平坦面に形成されるので、目地材に相当する色などに塗装しやすく、より一層顕著にタイル貼りであるかのような外観を与えることが容易である。
【００１２】
請求項２に係る本発明によれば、雄実と雌実とを嵌合させたときにそれらの継目に形成される継目溝の溝幅中央と、基板の表面溝の溝幅中央とに同様に中央溝が形成されるので、継目溝と表面溝とが略同一の断面形状を有することに加えて、中央溝を有する点においても共通する。したがって、この床材を雄実と雌実との嵌合を介して連接施工して得られる床に、タイル貼りであるかのような外観をより強調的に与えることができる。
【００１３】
また、床材が収縮して継目溝に隙間が生じても、もともと継目溝の溝幅中央に中央溝が一本の線として現出されているので、隙間があいても表面溝との間に外観上に顕著な相違が生じにくく、タイル貼りであるかのような外観を長期間にわたって維持することができる。
【図面の簡単な説明】
【００１４】
【図１】本発明の一実施形態（実施例１）による床材の平面図（ａ）およびこの床材を２枚幅方向に連接施工したときの平面図（ｂ）である。
【図２】図１におけるＡ−Ａ断面図（ａ）およびＢ−Ｂ断面図（ｂ）である。
【図３】本発明の他実施形態（実施例２）による床材の平面図（ａ）および他実施形態（実施例３）による床材の平面図（ｂ）である。
【図４】本発明の他実施形態（実施例４）による床材を２枚幅方向に連接施工したときの平面図である。
【図５】図４におけるＡ−Ａ断面図（ａ）およびＢ−Ｂ断面図（ｂ）である。
【発明を実施するための最良の形態】
【００１５】
本発明について実施例を挙げて詳細に説明する。
【実施例１】
【００１６】
この実施例による床材１０は、図１（ａ）に示すように、合板やＭＤＦなどの木質材からなる長尺の基板（符号なし）の表面１０ａに、幅方向に延長する横溝（表面溝）１６が複数本（図示の例では５本）形成されている。基板の四周木口面のうち隣り合う２つの木口面にはそれぞれ雄実１２，１３が形成され、他の隣り合う２つの木口面にはそれぞれ雌実１４，１５が形成されている。また、基板表面１０ａには石目調の柄模様を有する化粧シート１１が貼着されている。化粧シート１１は、図２では図示省略されている。
【００１７】
横溝１６の形状は、図２（ａ）に示すように、基板表面１０ａから所定の深さで基板表面１０ａと平行に形成される溝底面１６ａと、その両側に形成される傾斜面１６ｂ，１６ｂとを有し、逆台形状の断面形状を有する。この実施例において、溝底面１６ａは溝幅が４．５７ｍｍ、基板表面１０ａからの溝深さが０．５ｍｍであり、溝底面１６ａと傾斜面１６ｂ，１６ｂとがなす角度はいずれも５５°であり、傾斜面１６ｂ，１６ｂを含めた横溝１６全体の溝幅は６ｍｍである。
【００１８】
雄実１３は、図２（ｂ）に示すように、凸部１３ａと、その表面側の上実１３ｂとを有し、上実１３ｂの表面側には、基板表面１０ａから所定の深さで基板表面１０ａと平行に形成される底面１７ａと、基板表面１０ａと底面１７ａとの間に形成される傾斜面１７ｂとからなる切欠１７が形成される。雄実１２は雄実１３と同様に形成される。
【００１９】
雌実１５は、図２（ｂ）に示すように、雄実１３の凸部１３ａが嵌合する凹部１５ａと、その表面側の上実１５ｂと、裏面側の下実１５ｃとを有し、上実１５ｂの表面側には、基板表面１０ａから所定の深さで基板表面１０ａと平行に形成される底面１８ａと、基板表面１０ａと底面１８ａとの間に形成される傾斜面１８ｂとからなる切欠１８が形成される。雌実１４は雌実１５と同様に形成される。
【００２０】
雄実１３の切欠１７と雌実１５の切欠１８は対称に形成され、雄実凸部１３ａを雌実凹部１５ａに嵌合したときに、雄実上実１３ｂと雌実上実１５ｂとが互いに突き合わされた状態となってそれらの間に継目１９が現出し、この継目１９を溝中心として、雄実１３と雌実１５の切欠１７，１８とで継目溝２０を形成する。この実施例において、継目溝２０は、溝幅が４．５７ｍｍ、基板表面１０ａからの溝深さが０．５ｍｍであり、切欠底面１７ａ，１８ａと傾斜面１７ｂ，１８ｂとがなす角度はいずれも５５°であり、傾斜面１７ｂ，１８ｂを含めた継目溝２０全体の溝幅は６ｍｍである。すなわち、継目溝２０は基板表面１０ａに形成される横溝１６と同一の形状・寸法を有する。
【００２１】
したがって、図２（ｂ）に示すように、２枚の床材１０，１０を雄実１３と雌実１５との嵌合を介して幅方向に連接したときに表面に現出する横溝１６と目地溝２０とが同一に観察され、これらによって区画された矩形状の部分がタイルのように観察され、さらに、石目調の柄模様を有する化粧シート１１によってより一層タイル貼りの床であるかのように見せかけることができる。横溝１６および継目溝２０に、目地材に相当する色の塗装を施すことにより、さらにタイル貼りのような外観に近似させることができると共に、継目溝２０の幅中央に現出する継目１９を目立たなくすることができる。
【００２２】
床材１０同士を長手方向に連接したときに継目に形成される継目溝も、継目溝２０と同様に、横溝１６と同一の寸法・形状を有して同一に観察されるので、上記と同様の作用効果が得られる。
【実施例２】
【００２３】
図３（ａ）には、本発明の他実施形態による床材が示されている。この実施形態では、基板表面に、横溝１６に加えて、横溝１６と同一の形状・寸法を有する縦溝２１が形成され、これら横溝１６，縦溝２１および床材同士の継目に形成される継目溝２０（図２（ｂ））がいずれも同一に観察され、床材同士を雄実１２，１３と雌実１４，１５との嵌合を介して長尺方向および幅方向に連接したときに、横溝１６，縦溝２１および継目溝２０によって区画された小さな矩形状の部分がタイルのように観察され、さらに、石目調の柄模様を有する化粧シート１１によってより一層タイル貼りの床であるかのように見せかけることができる。上記相違点以外の構成および作用は実施例１の床材１０と同様であるので、対応する部分・要素には同一の符号を付して、説明を省略する。
【実施例３】
【００２４】
図３（ｂ）には、本発明の他実施形態による床材が示されている。この実施形態では、基板表面に形成される横溝１６の本数を少なく（図示の例では２本）して、床材同士を雄実１２，１３と雌実１４，１５との嵌合を介して長尺方向および幅方向に連接したときに、横溝１６および継目溝２０によって区画された長方形の部分がタイルのように観察され、さらに、石目調の柄模様を有する化粧シート１１によってより一層タイル貼りの床であるかのように見せかけることができる。上記相違点以外の構成および作用は実施例１の床材１０と同様であるので、対応する部分・要素には同一の符号を付して、説明を省略する。
【実施例４】
【００２５】
この実施例による床材１０は実施例１の床材１０と同様の構成を有するが、実施例１では、基板表面１０ａに形成される表面溝１６を逆台形状の断面形状を有するものとして形成すると共に、床材同士を雄実１２，１３と雌実１４，１５との嵌合を介して長尺方向および幅方向に連接したときに継目に形成される継目溝２０が表面溝１６と同一の形状・寸法を有するものとしたが、この実施例では、表面溝１６の溝幅中央に沿って断面Ｖ字状の中央溝２２を形成すると共に、雄実１３および雌実１５の切欠１７，１８の底面１７ａ，１８ａの各先端を面取り（符号なし）して傾斜面を形成し、これらの継目部分に、表面溝１６の中央溝２２と同様の外観を与えるＶ字状の中央溝２３が形成されるようにしている。
【００２６】
この実施例では、床材同士を雄実１２，１３と雌実１４，１５との嵌合を介して長尺方向および幅方向に連接したときにそれらの上実（１３ｂ，１５ｂ）の表面に表れる継目１９を、面取り形成した傾斜面による中央溝２３によって強調的に現出させ、表面溝１６にも中央溝２２を形成して、これらに同一の外観を与えている。上記相違点以外の構成および作用は実施例１の床材１０と同様であるので、対応する部分・要素には同一の符号を付して、説明を省略する。また、図３に示すような床材の表面溝１６および目地溝２０についても、中央溝２２，２３を有するこの実施例の構成を採用しても良いことは言うまでもない。
【００２７】
なお、基板表面１０ａに形成する表面溝は、図１（ａ）に示すように横溝１６のみとしても良いし、図３（ａ）に示すように、横溝１６と縦溝２１とからなるものであっても良いし、図３（ｂ）に示すように縦長の長方形に区画するように横溝１６同士の間隔を拡げて形成しても良い。あるいは、表面溝を縦溝２１のみとしても良い。これらのバリエーションから理解されるように、表面溝の方向、本数、間隔などは任意に設定することができる。
【符号の説明】
【００２８】
１０  床材
１１  化粧シート
１２  雄実
１３  雄実
１３ａ  凸部
１３ｂ  上実
１４  雌実
１５  雌実
１５ａ  凹部
１５ｂ  上実
１５ｃ  下実
１６  基板表面の横溝（表面溝）
１６ａ  溝底面
１６ｂ  傾斜面
１７  雄実の切欠
１７ａ  底面
１７ｂ  傾斜面
１８  雌実の切欠
１８ａ  底面
１８ｂ  傾斜面
１９  継目
２０  継目溝
２１  基板表面の縦溝（表面溝）
２２  中央溝
２３  中央溝
【図１】
2016186180.tif 000003
【図２】
2016186180.tif 000004
【図３】
2016186180.tif 000005
【図４】
2016186180.tif 000006
【図５】
2016186180.tif 000007